(57)【要約】【課題】筋肉に負荷を良好にかけることができる装着具を提供する。【解決手段】装着具は所定の幅を有した筒状をなしており、少なくとも一部分が気密性を有している。この装着具は、腹部に装着され、隣り合う領域（筒部本体１０の外周面に、腹側帯部材１１又は背中側帯部材１３を縫いつけられた領域、及び筒部本体１０の外周面に、腹側帯部材１１又は背中側帯部材１３を縫いつけられていない領域）で伸縮性が異なる領域を備えている。【選択図】図４
2017020148.tif 000002
【特許請求の範囲】
【請求項１】
所定の幅を有した筒状であり、少なくとも一部分が気密性を有する装着具において、隣り合う領域で伸縮性が異なる領域を備えていることを特徴とする装着具。
【請求項２】
所定の幅を有した筒状であり、隣り合う領域で伸縮性が異なる複数の領域を形成した第１層と、
この第１層の外周面又は内周面に積層され、気密性を有する第２層と、
を備えていることを特徴とする請求項１記載の装着具。
【請求項３】
前記第１層は、
全体に亘り所定の伸縮性を有する基層と、
この基層より伸縮性が小さく、この基層の少なくとも一部分に積層する副層と、
を有していることを特徴とする請求項２記載の装着具。
【請求項４】
保温性を有する第３層を備えていることを特徴とする請求項１乃至３のいずれか１項記載の装着具。
【請求項５】
前記副層は、
腹部に装着した際に腹側に位置する前面部において、一対の帯状をなしており、左右対称で、それぞれが前記筒状の開口の一端から他端に向けて直線的に伸びており、互いの間の寸法が前記一端から前記他端に向かうにつれて大きくなることを特徴とする請求項３記載の装着具。
【請求項６】
前記副層は、
腹部に装着した際に背中側に位置する後面部において、一対の帯状をなしており、左右対称で、それぞれが前記筒状の開口の一端から他端に向けて直線的に伸びており、互いの間の寸法が前記一端から前記他端に向かうにつれて大きくなることを特徴とする請求項３記載の装着具。
【発明の詳細な説明】
【技術分野】
【０００１】
本発明は、装着具に関するものである。
【背景技術】
【０００２】
特許文献１は従来の装着具を開示している。この装着具は腹部に装着される。この装着具は筒状である。この装着具は筒状の部分に、伸縮性を有した５６０デニールの糸で織られた布を用いている。この装着具は筒部本体が周方向に伸縮性が小さい。また、この装着具は筒状の外周面にＶ字状の腹側帯部材が縫いつけられている。このＶ字状の腹側帯部材は縦方向に伸縮性が小さい。この装着具はＶ字状の腹側帯部材を腹側にして腹部に装着する。これにより、この装着具は筒部本体及びＶ字状の腹側帯部材の伸縮性の方向の違いによって、腹斜筋等に負荷をかけることができる。
【先行技術文献】
【特許文献】
【０００３】
【特許文献１】実用新案登録第３１７９９１８号公報
【発明の概要】
【発明が解決しようとする課題】
【０００４】
しかし、特許文献１の装着具は筒状の部分に伸縮性を有した５６０デニールの糸で織られた布を用いている。糸で織られた布は気密性を有さないため、身体を覆っても密閉することができない。このため、この装着具は発汗作用が乏しく、装着具が身体の所望の場所からずれるおそれがある。
【０００５】
本発明は上記従来の事情に鑑みてなされたものであって、筋肉に負荷を良好にかけることができる装着具を提供することを解決すべき課題としている。
【課題を解決するための手段】
【０００６】
本発明の装着具は、所定の幅を有した筒状であり、少なくとも一部分が気密性を有する装着具において、隣り合う領域で伸縮性が異なる領域を備えている。
【０００７】
この装着具は筒状の部分に気密性を有する部分を設けることができる。これにより、この装着具は気密性を有する部分によって身体に発汗作用が働く。このため、この装着具は発汗によって身体の所望の場所に、より密着することができるため、身体の所望の場所からずれ難くすることができる。こうして、この装着具は身体の所望の場所からずれ難くすることができるため、所望の負荷を筋肉に確実にかけることができる。すると、負荷をかけられた筋肉の収縮により発熱して血行促進することによって、さらに発汗作用が働く。また、この装着具は、周方向に分割されており、分割された隣り合う領域が互いに伸縮性が異なる。これにより、この装着具は身体に装着した際、装着した身体の各部分に適した伸縮性を身体に付与することができる。
【０００８】
したがって、本発明の装着具は筋肉に負荷を良好にかけることができる。
【図面の簡単な説明】
【０００９】
【図１】実施例１の装着具を示す正面図である。
【図２】実施例１の装着具を示す背面図である。
【図３】実施例１の装着具を示す側面図である。
【図４】実施例１の装着具を示す斜視図である。
【図５】図１の矢視Ｘ−Ｘ断面図である。
【発明を実施するための形態】
【００１０】
本発明における好ましい実施の形態を説明する。
【００１１】
本発明の装着具は、所定の幅を有した筒状であり、隣り合う領域で伸縮性が異なる複数の領域を形成した第１層と、この第１層の外周面又は内周面に積層され、気密性を有する第２層とを備え得る。この場合、この装着具は伸縮性が異なる複数の領域を形成する第１層と気密性を有する第２層とをそれぞれ独立して形成することができる。つまり、この装着具は伸縮性が異なる領域の形状及び気密性を有する位置を自在に形成することができる。
【００１２】
本発明の第１層は、全体に亘り所定の伸縮性を有する基層と、この基層より伸縮性が小さく、この基層の少なくとも一部分に積層する副層とを有し得る。この場合、この装着具は、伸縮性が大きい部分と、伸縮性が小さい部分とを違う素材によって形成し、繋ぎ合わせる場合に比べて、所望の位置に伸縮性が小さい部分を容易に設けることができる。
【００１３】
本発明の装着具は、保温性を有する第３層を備え得る。この場合、この装着具は、保温性を有する第３層によって身体を保温することができる。これにより、この装着具は気密性を有する第２層の発汗作用をさらに高めることができるため、身体により密着させることができる。
【００１４】
本発明の副層は、腹部に装着した際に腹側に位置する前面部において、一対の帯状をなしており、左右対称で、それぞれが筒状の開口の一端から他端に向けて直線的に伸びており、互いの間の寸法が一端から他端に向かうにつれて大きくなり得る。この場合、この装着具は腹側に設けられた副層が外腹斜筋又は内腹斜筋が伸縮する方向に伸びている。このため、この装着具は外腹斜筋又は内腹斜筋が伸縮する際に、外腹斜筋又は内腹斜筋に負荷をかけることができる。
【００１５】
本発明の副層は、腹部に装着した際に背中側に位置する後面部において、一対の帯状をなしており、左右対称で、それぞれが筒状の開口の一端から他端に向けて直線的に伸びており、互いの間の寸法が一端から他端に向かうにつれて大きくなり得る。この場合、この装着具は背中側に設けられた副層が内腹斜筋又は外腹斜筋が伸縮する方向に伸びている。このため、この装着具は内腹斜筋又は外腹斜筋が伸縮する際に、内腹斜筋又は外腹斜筋に負荷をかけることができる。
【００１６】
次に、本発明の装着具を具体化した実施例１について、図面を参照しつつ説明する。
【００１７】
＜実施例１＞
実施例１の装着具は、図１〜図４に示すように、筒部本体１０、一対の腹側帯部材１１、一対の飾り部材１２、一対の背中側帯部材１３、一対のコイルボーン１４、及び一対の目隠し部材１４Ａを備えている。筒部本体１０は腹側部材１０Ａ及び背中側部材１０Ｂを有している。
【００１８】
筒部本体１０は、腹側部材１０Ａ及び背中側部材１０Ｂの互いの左右両端（左右は図１における左右である。以下同じ）をそれぞれ縫いつけて筒状を形成している。つまり、筒部本体１０は所定の幅を有した筒状である。筒部本体１０は左右方向の寸法が他端である上端１０Ｃより一端である下端１０Ｄが大きい。筒部本体１０は腹側部材１０Ａ及び背中側部材１０Ｂの互いの左右両端を縫いつけた部分の下側にそれぞれ左右方向の外側に湾曲した膨らみを有している。
【００１９】
腹側部材１０Ａは、図１に示すように、上下方向（上下は図１における上下である。以下同じ）が所定の幅を有している。腹側部材１０Ａは下側の左右方向の寸法が上側の左右方向の寸法よりも長く左右対称である。腹側部材１０Ａは左右方向の伸縮性が上下方向の伸縮性より小さい。
【００２０】
背中側部材１０Ｂは、図２に示すように、上下方向が所定の幅を有している。背中側部材１０Ｂは上下方向の幅が腹側部材１０Ａの上下方向の幅と同じである。背中側部材１０Ｂは下側の左右方向の寸法が上側の左右方向の寸法よりも長く左右対称である。背中側部材１０Ｂは左右方向の伸縮性が上下方向の伸縮性より小さい。
【００２１】
一対の腹側帯部材１１は、図１に示すように、それぞれが一方向に伸びた帯状をなしている。これら腹側帯部材１１はそれぞれ長辺部の向かい合う２辺に第１縁取り部材１１Ａが縫いつけられている（図５参照。）。これら腹側帯部材１１は、左右方向の伸縮性が、腹側部材１０Ａ及び背中側部材１０Ｂの左右方向の伸縮性より小さい。つまり、腹側帯部材１１は伸縮性が筒部本体１０の伸縮性より小さい。これら腹側帯部材１１は腹側部材１０Ａの左右対称に、筒部本体１０の腹側部材１０Ａの外周面に縫いつけられている。詳しくは、これら腹側帯部材１１はそれぞれが筒部本体１０の下端１０Ｄから上端１０Ｃに向けて直線的に伸びている。これら腹側帯部材１１は互いの間の寸法が筒部本体１０の下端１０Ｄから上端１０Ｃに向かうにつれて大きくなっている。これら腹側帯部材１１は一端１１Ｂが筒部本体１０の下端１０Ｄに配置されている。また、これら腹側帯部材１１はそれぞれの第１他端１１Ｃが腹側部材１０Ａの左右両端の上部にそれぞれ配置されている。また、これら腹側帯部材１１はそれぞれの第２他端１１Ｄが筒部本体１０の上端１０Ｃに配置されている。これら腹側帯部材１１は後述する副層３０Ｂである。
【００２２】
一対の飾り部材１２はそれぞれが一方向に伸びた帯状をなしている。これら飾り部材１２は腹側部材１０Ａの左右対称に、筒部本体１０の腹側部材１０Ａの外周面に縫いつけられている。これら飾り部材１２はそれぞれの一端１２Ａが筒部本体１０の上端１０Ｃに配置されている。また、これら飾り部材１２はそれぞれの他端１２Ｂが隣り合う一対の腹側帯部材１１の間に位置するそれぞれの長辺部の１辺に縫いつけられた第１縁取り部材１１Ａの上部にそれぞれ配置されている。詳しくは、飾り部材１２の他端１２Ｂは第１縁取り部材１１Ａと腹側部材１０Ａとで挟まれている（図示せず。）。これら飾り部材１２は互いの間の寸法が筒部本体１０の上端１０Ｃから隣り合う一対の腹側帯部材１１の間に位置するそれぞれの長辺部の１辺に縫いつけられた第１縁取り部材１１Ａの上部に向かうにつれて大きくなっている。筒部本体１０を腹側から見たとき、上端１０Ｃ、下端１０Ｄ、一対の腹側帯部材１１の下側、及び一対の飾り部材１２によって、縦長の６角形形状の模様が形成される。この６角形形状と腹側帯部材１１とによって、引き締まった腹筋を想起するデザインを形成している。これにより、この装着具は腹筋が割れて腹部が引き締まることを連想することができるため、イメージトレーニングの効果を得ることができる。
【００２３】
一対の背中側帯部材１３は、図２に示すように、それぞれが一方向に伸びた帯状をなしている。これら背中側帯部材１３はそれぞれ長辺部の向かい合う２辺に第２縁取り部材１３Ａが縫いつけられている（図５参照。）。これら背中側帯部材１３は、左右方向の伸縮性が、腹側部材１０Ａ及び背中側部材１０Ｂの左右方向の伸縮性より小さい。つまり、これら背中側帯部材１３は伸縮性が筒部本体１０の伸縮性より小さい。これら背中側帯部材１３は背中側部材１０Ｂの左右対称に、筒部本体１０の背中側部材１０Ｂの外周面に縫いつけられている。詳しくは、これら背中側帯部材１３はそれぞれが筒部本体１０の下端１０Ｄから上端１０Ｃに向けて直線的に伸びている。これら背中側帯部材１３は互いの間の寸法が筒部本体１０の下端１０Ｄから上端１０Ｃに向かうにつれて大きくなっている。これら背中側帯部材１３は一端１３Ｂが筒部本体１０の下端１０Ｄに配置されている。また、これら背中側帯部材１３はそれぞれの第１他端１３Ｃが背中側部材１０Ｂの左右両端の上部にそれぞれ配置されている。また、これら背中側帯部材１３はそれぞれの第２他端１３Ｄが筒部本体１０の上端１０Ｃに配置されている。つまり、これら背中側帯部材１３の第１他端１３Ｃは一対の腹側帯部材１１の第１他端１１Ｃにそれぞれ隣り合い配置されている（図３、４参照。）。これら背中側帯部材１３は後述する副層３０Ｂである。
【００２４】
背中側帯部材１３の第１他端１３Ｃ及び腹側帯部材１１の第１他端１１Ｃは、腹側部材１０Ａ及び背中側部材１０Ｂの互いの左右両端をそれぞれ縫いつけて筒状を形成する際、腹側部材１０Ａ及び背中側部材１０Ｂの互いの左右両端それぞれに共に挟み込まれて縫いつけられている（図３、４参照。）。こうして、この装着具は周方向に分割され、腹側帯部材１１及び背中側帯部材１３のそれぞれの隣り合う領域で伸縮性が異なる複数の領域を備えている。
【００２５】
コイルボーン１４は金属線をコイル状に巻いて平板状につぶしたものであり、一方向に伸びた帯状をなしている（図示せず。）。一対のコイルボーン１４は背中側部材１０Ｂの左右対称に長辺部を上下方向にして配置している。これらコイルボーン１４は互いの間の寸法Ｙが筒部本体１０の下端１０Ｄから上端１０Ｃに向かうにつれて僅かに大きくなっている。
【００２６】
目隠し部材１４Ａは、図２に示すように、左右方向に幅を有し上下方向に伸びた帯状である。目隠し部材１４Ａは帯状の幅がコイルボーン１４の帯状の幅より広い。一対の目隠し部材１４Ａは、背中側部材１０Ｂの左右対称に長辺部を上下方向にして配置された一対のコイルボーン１４をコイルボーン１４の外側から覆い背中側部材１０Ｂに縫いつけられている。詳しくは、これら目隠し部材１４Ａは一端１４Ｂを筒部本体１０の下端１０Ｄに、他端１４Ｃを筒部本体１０の上端１０Ｃにそれぞれ配置している。目隠し部材１４Ａは、コイルボーン１４の長辺部の向かい合う２辺のそれぞれに沿って背中側部材１０Ｂに縫いつけられている。これにより、これらコイルボーン１４は左右方向にずれることがなく、装着者に直接的に触れることもない。これらコイルボーン１４は装着具を装着した際、装着者の背中を補助的に支えることができる。
【００２７】
筒部本体１０は、図１〜図４に示すように、下端１０Ｄが一対の腹側帯部材１１の一端１１Ｂ、一対の背中側帯部材１３の一端１３Ｂ、及び目隠し部材１４Ａの一端１４Ｂと共に第３縁取り部材１０Ｅに挟み込まれて縫いつけられている。また、筒部本体１０は上端１０Ｃが一対の腹側帯部材１１の第２他端１１Ｄ、一対の背中側帯部材１３の第２他端１３Ｄ、一対の目隠し部材１４Ａの他端１４Ｃ、及び一対の飾り部材１２の一端１２Ａと共に第４縁取り部材１０Ｆに挟み込まれて縫いつけられている。これにより、一対のコイルボーン１４は上下方向にずれることがなく、装着者に直接的に触れることもない。
【００２８】
この装着具は、図５に示すように、第１層３０、第２層３１、及び第３層３２を有している。第１層３０は筒部本体１０の外周面に設けられており、基層３０Ａ、及び副層３０Ｂを具備している。副層３０Ｂは腹側帯部材１１及び背中側帯部材１３である。基層３０Ａは、層の全体に亘り所定の厚みを有している。また、基層３０Ａは層の全体に亘り所定の伸縮性を有している。副層３０Ｂは基層３０Ａより伸縮性が小さい。副層３０Ｂは基層３０Ａの外周面の一部分に積層して縫いつけられている。つまり、第１層３０は隣り合う領域で伸縮性が異なる複数の領域が形成されている。
【００２９】
第２層３１は第１層３０の内周面に積層されている。第２層３１は厚みが第１層３０の厚みより薄い。第２層３１は材質がポリウレタンである。第２層３１はＪＩＳ−Ｌ−１０９６のフラジール法における通気性が０．３ｃｍ３／ｃｍ２・ｓ以下である。つまり、第２層３１は第１層３０の内周面に積層され気密性を有している。また、第２層３１はＪＩＳ−Ｌ−１０９２の低水圧法における耐水度が２０００ｍｍ以上である。つまり第２層３１は水密性も有している。
【００３０】
第３層３２は筒部本体１０の内周面である第２層３１の内周面に積層されている。第３層３２は厚みが第１層３０の厚みとほぼ同じである。第３層３２は層の全体に亘り多くの小孔を具備しており、この小孔に空気を保持することができる。これにより、第３層３２は保温性を有している。
【００３１】
次に、この装着具の使用方法を説明する。先ず、この装着具を腹部に装着する。詳しくは、筒部本体１０の下端１０Ｄを下側にして、上端１０Ｃを上側にする。そして、副層３０Ｂである一対の腹側帯部材１１を装着者の腹の左右対称にして、副層３０Ｂである一対の背中側帯部材１３を装着者の背中の左右対称にして装着する。
【００３２】
このとき、副層３０Ｂである一対の腹側帯部材１１は腹部に装着した際に腹側に位置する前面部において、一対の帯状をなしている。また、一対の腹側帯部材１１は腹部に装着した際に前面部において左右対称で、それぞれが筒部本体１０の下端１０Ｄから上端１０Ｃに向けて直線的に伸びており、互いの間の寸法が筒部本体１０の下端１０Ｄから上端１０Ｃに向かうにつれて大きくなっている。また、副層３０Ｂである一対の背中側帯部材１３は腹部に装着した際に背中側に位置する後面部において一対の帯状をなしている。また、一対の背中側帯部材１３は腹部に装着した際に後面部において左右対称で、それぞれが筒部本体１０の下端１０Ｄから上端１０Ｃに向けて直線的に伸びており、互いの間の寸法が筒部本体１０の下端１０Ｄから上端１０Ｃに向かうにつれて大きくなっている。
【００３３】
そして、装着具を装着すると、気密性及び水密性を有する第２層３１及び保温性を有する第３層３２によって、装着具を装着した部分に発汗作用が働き、装着具を装着した部分が発汗する。本実施例の装着具では第２層３１がＪＩＳ−Ｌ−１０９６のフラジール法において０．３ｃｍ３／ｃｍ２・ｓ以下で気密性を有している。また第３層３２は全体に亘り多くの小孔を具備している。このため、この装着具は装着者の体の表面で温められた空気を第２層３１によって装着具の外側へ逃がすことなく第３層３２の小孔に保持することができ、装着した部分を保温することができる。また、この装着具は第２層３１が水密性を有しているため、発汗した汗が装着具の外側へ蒸発することを抑えることができる。このため、この装着具は発汗によって身体の所望の場所に、より密着することができるため、装着具が身体の所望の場所からずれ難くなる。気密性及び水密性は本実施例の値に限られるものではなく、同様の発汗と密着性の効果が得られるものであればよい。
【００３４】
また、この装着具は副層３０Ｂである腹側帯部材１１を外腹斜筋が伸縮する方向に重ねて配置している。このため、この装着具は外腹斜筋が伸縮する際、腹側帯部材１１が外腹斜筋に負荷をかけることができる。また、この装着具は副層３０Ｂである背中側帯部材１３を内腹斜筋が伸縮する方向に重ねて配置している。このため、この装着具は内腹斜筋が伸縮する際、背中側帯部材１３が内腹斜筋に負荷をかけることができる。また、この装着具は、筒部本体１０の伸縮する方向が腹横筋が伸縮する方向に一致している。このため、この装着具は腹横筋が伸縮する際、筒部本体１０が腹横筋に負荷をかけることができる。こうして、この装着具は筋肉に負荷を確実にかけることができる。すると、負荷をかけられた筋肉の収縮により発熱して血行促進することによって、さらに発汗作用が働く。
【００３５】
このように、この装着具は筒部本体１０に第２層３１を設けることができる。これにより、この装着具は第２層３１によって身体に発汗作用が働く。このため、この装着具は発汗によって身体の所望の場所に、より密着することができるため、身体の所望の場所からずれ難くすることができる。こうして、この装着具は身体の所望の場所からずれ難くすることができるため、所望の負荷を筋肉に確実にかけることができる。すると、負荷をかけられた筋肉の収縮により発熱して血行促進することによって、さらに発汗作用が働く。また、この装着具は周方向に分割されており、分割された隣り合う領域が互いに伸縮性が異なる。これにより、この装着具は身体に装着した際、装着した身体の各部分に適した伸縮性を身体に付与することができる。
【００３６】
したがって、本発明の装着具は筋肉に負荷を良好にかけることができる。
【００３７】
また、この装着具は、所定の幅を有した筒状であり、隣り合う領域で伸縮性が異なる複数の領域を形成した第１層３０と、この第１層３０の内周面に積層され、気密性を有する第２層３１とを備えている。このため、この装着具は伸縮性が異なる複数の領域を形成する第１層３０と気密性を有する第２層３１をそれぞれ独立して形成することができる。つまり、この装着具は伸縮性が異なる領域の形状及び気密性を有する位置を自在に形成することができる。
【００３８】
また、この第１層３０は、全体に亘り所定の伸縮性を有する基層３０Ａと、この基層３０Ａより伸縮性が小さく、この基層３０Ａの少なくとも一部分に積層する副層３０Ｂとを有している。このため、この装着具は、伸縮性が大きい部分と、伸縮性が小さい部分とを違う素材によって形成し、繋ぎ合わせる場合に比べて、所望の位置に伸縮性が小さい部分を容易に設けることができる。
【００３９】
また、この装着具は、保温性を有する第３層３２を備えている。このため、この装着具は、保温性を有する第３層３２によって身体を保温することができる。これにより、この装着具は気密性を有する第２層３１の発汗作用をさらに高めることができるため、身体により密着させることができる。
【００４０】
また、この副層３０Ｂは、腹部に装着した際に腹側に位置する前面部において、一対の帯状をなしており、左右対称で、それぞれが筒部本体１０の開口の下端１０Ｄから上端１０Ｃに向けて直線的に伸びており、互いの間の寸法が下端１０Ｄから上端１０Ｃに向かうにつれて大きくなる。このため、この装着具は腹側に設けられた副層３０Ｂが外腹斜筋又は内腹斜筋が伸縮する方向に伸びている。このため、この装着具は外腹斜筋又は内腹斜筋が伸縮する際に、外腹斜筋又は内腹斜筋に負荷をかけることができる。
【００４１】
また、この副層３０Ｂは腹部に装着した際に背中側に位置する後面部において一対の帯状をなしており、左右対称で、それぞれが筒部本体１０の開口の下端１０Ｄから上端１０Ｃに向けて直線的に伸びており、互いの間の寸法が下端１０Ｄから上端１０Ｃに向かうにつれて大きくなる。このため、この装着具は背中側に設けられた副層３０Ｂが内腹斜筋又は外腹斜筋が伸縮する方向に伸びている。このため、この装着具は内腹斜筋又は外腹斜筋が伸縮する際に、内腹斜筋又は外腹斜筋に負荷をかけることができる。
【００４２】
本発明は上記記述及び図面によって説明した実施例１に限定されるものではなく、例えば次のような実施例も本発明の技術的範囲に含まれる。
（１）実施例１では腹側部材及び背中側部材の左右両端を縫いつけて筒部本体を形成しているが、これに限らず、筒部本体を筒状に織った部材で形成しても良い。
（２）実施例１では腹側帯部材及び背中側帯部材を筒部本体の左右対称にそれぞれ１枚ずつ設けているが、これに限らず、腹側帯部材及び背中側帯部材を筒部本体の左右にそれぞれ２本ずつ以上設けても良い。
（３）実施例１では腹側帯部材及び背中側帯部材の第１他端を腹側部材及び背中側部材の左右両端の上部に配置しているが、これに限らず、腹側帯部材及び背中側帯部材の第１他端を筒部本体の上端に配置しても良い。
（４）実施例１では腹側帯部材及び背中側帯部材の第２他端を筒部本体の上端に配置しているが、これに限らず、腹側帯部材及び背中側帯部材の第２他端を腹側部材及び背中側部材の左右両端の上部に配置しても良い。
（５）実施例１ではコイルボーンを２本設けているが、これに限らず、コイルボーンを１本設けてもよく、３本以上設けても良い。また、コイルボーンを設けなくても良い。
（６）実施例１ではコイルボーンを金属線で形成しているが、これに限らず、コイルボーンを可撓性を有した合成樹脂等で形成しても良い。
（７）実施例１では腹側帯部材及び背中側帯部材を筒部本体の左右対称にそれぞれ１枚ずつ設けているが、これに限らず、腹側帯部材及び背中側帯部材を筒部本体の左右対称にそれぞれ複数枚重ねて縫いつけても良い。これにより、腹側帯部材及び背中側帯部材の材質を変更しなくても、伸縮性の大きさを調節することができる。
（８）実施例１では装着具を腹部に装着しているが、これに限らず、装着具を腕や脚等に装着しても良い。この場合、装着する部分の筋肉の伸縮方向に重ねて副層を配置する。
（９）実施例１では腹側帯部材、背中側帯部材、及び飾り部材を筒部本体の外周面に縫いつけて設けているが、これに限らず、腹側帯部材、背中側帯部材、及び飾り部材に代えて可撓性を有したインクや塗料等を筒部本体の外周面に印刷又は塗装等して設けても良い。
（１０）実施例１では腹側帯部材、及び背中側帯部材を筒部本体の外周面に縫いつけて設けているが、これに限らず、腹側帯部材、及び背中側帯部材を筒部本体の内周面に縫いつけて設けても良い。
（１１）実施例１では腹側帯部材、背中側帯部材、及び飾り部材を筒部本体の外周面に縫いつけて設けているが、これに限らず、腹側帯部材、背中側帯部材、及び飾り部材を筒部本体の外周面に貼着して設けても良い。
（１２）実施例１では筒部本体の下端及び上端をそれぞれ第３縁取り部材及び第４縁取り部材で挟み込み縫いつけているが、これに限らず、筒部本体の下端及び上端に縁取り部材を用いず、カバーステッチ等で縫いつけて始末しても良い。
（１３）実施例１では腹側帯部材及び背中側帯部材の長辺部の向かい合う２辺にそれぞれ第１縁取り部材及び第２縁取り部材が縫いつけられているが、これに限らず、腹側帯部材及び背中側帯部材の長辺部の向かい合う２辺に縁取り部材を用いず、カバーステッチ等で筒部本体の外周面に縫いつけても良い。
（１４）実施例１では第２層の材質がポリウレタンであるが、これに限らず、第２層の材質がクロロプレンゴム、天然ゴム、又はシリコンゴム等であっても良い。
（１５）実施例１では第１層の内周面の全体に亘って第２層を積層して設けているが、これに限らず、第２層を第１層の内周面の一部に積層して設けても良い。
（１６）実施例１では腹側帯部材の互いの間の寸法が筒部本体の下端から上端に向かうにつれて大きくなっているが、これに限らず、腹側帯部材の互いの間の寸法が筒部本体の下端から上端に向かうにつれて小さくなっても良い。
（１７）実施例１では背中側帯部材の互いの間の寸法が筒部本体の下端から上端に向かうにつれて大きくなっているが、これに限らず、背中側帯部材の互いの間の寸法が筒部本体の下端から上端に向かうにつれて小さくなっても良い。
（１８）実施例１では腹側部材及び背中側部材の左右両端を縫いつけて筒部本体を形成しているが、これに限らず、筒部本体をファスナーや面ファスナー等を設けて形成して筒部本体を着脱できるようにしても良い。これにより、着脱を容易にすることができる。
（１９）腹側帯部材及び背中側帯部材を設けて伸縮性を変化させているが、これに限らず、縫い目を増やすことで伸縮性を変化させても良い。
【符号の説明】
【００４３】
１０Ｃ…上端（他端）
１０Ｄ…下端（一端）
１１…腹側帯部材（３０Ｂ…副層）
１３…背中側帯部材（３０Ｂ…副層）
３０…第１層
３０Ａ…基層
３１…第２層
３２…第３層
【図１】
2017020148.tif 000003
【図２】
2017020148.tif 000004
【図３】
2017020148.tif 000005
【図４】
2017020148.tif 000006
【図５】
2017020148.tif 000007